(57)【要約】【課題】物体等が存在する位置に応じた動作を自動的に実行する。【解決手段】識別情報送信装置１０３にて、ＩＣタグ１０５に固有の識別情報が書き込まれ、書き込まれた識別情報が、位置情報受信装置１０２−１〜１０２−ｍにてＩＣタグ１０５から読み取られ、読み取られた識別情報と位置情報受信装置１０２−１〜１０２−ｍが設置された位置を示す位置情報とが位置情報受信装置１０２−１〜１０２−ｍから送信され、位置情報受信装置１０２−１〜１０２−ｍから送信された識別情報及び位置情報と、それらに応じた動作を示す連動動作情報とが対応付けられて格納されている連動情報データベース１０１から、当該識別情報及び位置情報に基づいて、連動動作情報が制御装置１００にて特定され、連動動作実行装置１０４−１〜１０４−ｎにて、制御装置１００にて特定された連動動作情報に基づいて動作が実行される。【選択図】図１
2007235812.tif 000002
【特許請求の範囲】
【請求項１】
ＩＣタグが検出された位置に応じた動作を実行するための位置情報連動システムであって、
前記ＩＣタグに固有の識別情報を書き込む識別情報送信装置と、
前記識別情報を前記ＩＣタグから読み取り、読み取られた識別情報と予め設定された設置された位置を示す位置情報とを送信する位置情報受信装置と、
前記位置情報受信装置から送信された識別情報及び位置情報と、それらに応じた動作を示す連動動作情報とが対応付けられて格納されているデータベースと、
前記位置情報受信装置から送信された識別情報及び位置情報に基づいて、それらに応じた前記連動動作情報を前記データベースから特定する制御装置と、
前記制御手段によって特定された連動動作情報に基づいて動作を実行する連動動作実行装置とを有する位置情報連動システム。
【請求項２】
請求項１に記載の位置情報連動システムにおいて、
前記制御装置は、
前記位置情報受信手段から送信された識別情報及び位置情報を受信する位置情報受信手段と、
前記位置情報受信手段にて受信された識別情報及び位置情報に基づいて、それらに応じた前記連動動作情報を前記データベースから特定する連動情報特定手段と、
前記ＩＣタグに前記識別情報を書き込む指示を行う識別情報登録手段とを有することを特徴とする位置情報連動システム。
【請求項３】
ＩＣタグが検出された位置に応じた動作を実行するための位置情報連動システムであって、
前記ＩＣタグに、位置を示す位置情報と前記位置情報に応じた動作を示す連動動作情報とを対応付けた対応付け情報を書き込む連動情報送信装置と、
前記対応付け情報を前記ＩＣタグから読み取り、読み取られた対応付け情報と予め設定された設置された位置を示す位置情報とを送信する位置情報受信装置と、
前記位置情報受信装置から送信された対応付け情報と位置情報とに基づいて、それらに応じた前記連動動作情報を特定する制御装置と、
前記制御手段によって特定された連動動作情報に基づいて動作を実行する連動動作実行装置とを有する位置情報連動システム。
【請求項４】
請求項３に記載の位置情報連動システムにおいて、
前記制御装置は、
前記位置情報受信手段から送信された対応付け情報及び位置情報を受信する位置情報受信手段と、
前記位置情報受信手段にて受信された対応付け情報及び位置情報に基づいて、それらに応じた前記連動動作情報を特定する連動情報特定手段と、
前記ＩＣタグに前記対応付け情報を書き込む指示を行う連動情報登録手段とを有することを特徴とする位置情報連動システム。
【請求項５】
ＩＣタグが検出された位置に応じた動作を実行する位置情報連動方法であって、
前記ＩＣタグに固有の識別情報を書き込む処理と、
前記識別情報を前記ＩＣタグから読み取る処理と、
読み取られた識別情報と読み取られたＩＣタグが存在する位置を示す位置情報とに基づいて、それらに応じた動作を示す連動動作情報をデータベースから読み出して特定する処理と、
前記特定された連動動作情報に基づいて動作を実行する処理とを有する位置情報連動方法。
【請求項６】
ＩＣタグが検出された位置に応じた動作を実行する位置情報連動方法であって、
前記ＩＣタグに、位置を示す位置情報と前記位置情報に応じた動作を示す連動動作情報とを対応付けた対応付け情報とを書き込む処理と、
前記対応付け情報を前記ＩＣタグから読み取る処理と、
読み取られた対応付け情報と読み取られたＩＣタグが存在する位置を示す位置情報とに基づいて、それらに応じた前記連動動作情報を特定する処理と、
前記特定された連動動作情報に基づいて動作を実行する処理とを有する位置情報連動方法。
【発明の詳細な説明】
【技術分野】
【０００１】
本発明は、物体が存在する位置により所定の動作を行う位置情報連動システム及び位置情報連動方法に関する。
【背景技術】
【０００２】
従来より、物体が存在する位置を認識するために様々な方法が取られている。その中で近年、急速に普及されてきている方法が、ＩＣタグを用いた位置識別方法である（例えば、特許文献１参照。）。
【０００３】
ＩＣタグを用いた位置識別方法は、例えば、物体等に識別情報が書き込まれたＩＣタグを貼付し、貼付されたＩＣタグに書き込まれた識別情報をタグリーダによって読み取るという方法である。読み取り動作を行うタグリーダは、様々な場所に設置され、ＩＣタグを検出したタグリーダの設置場所に基づいて、当該ＩＣタグが貼付された物体等の存在場所が認識されるといったものである。
【０００４】
また、無線技術を利用した携帯端末等の移動端末及び移動端末と通信を行う基地局等の装置を用いて、その移動端末を基地局等の装置にて検出し、移動端末を検出した装置が設置された場所に応じた制御を行う方法が考えられている（例えば、特許文献２参照。）。
【特許文献１】特開２００５−０６４７２５号公報
【特許文献２】特開平０８−１９１３１１号公報
【発明の開示】
【発明が解決しようとする課題】
【０００５】
しかしながら、特許文献１に記載された方法においては、物体等が存在する位置を検出するに過ぎず、その位置に基づいた制御については、位置を認識した管理者等がその位置に応じた制御を指示しなければならないという問題点がある。
【０００６】
また、特許文献２に記載された方法においては、移動端末を検出した装置が設置された場所に応じた制御が行われるが、その制御方法及び制御内容については記載されていない。
【０００７】
本発明は、上述したような従来の技術が有する問題点に鑑みてなされたものであって、物体等が存在する位置に応じた動作を自動的に実行することができる位置情報連動システム及び位置情報連動方法を提供することを目的とする。
【課題を解決するための手段】
【０００８】
上記目的を達成するために本発明は、
ＩＣタグが検出された位置に応じた動作を実行するための位置情報連動システムであって、
前記ＩＣタグに固有の識別情報を書き込む識別情報送信装置と、
前記識別情報を前記ＩＣタグから読み取り、読み取られた識別情報と予め設定された設置された位置を示す位置情報とを送信する位置情報受信装置と、
前記位置情報受信装置から送信された識別情報及び位置情報と、それらに応じた動作を示す連動動作情報とが対応付けられて格納されているデータベースと、
前記位置情報受信装置から送信された識別情報及び位置情報に基づいて、それらに応じた前記連動動作情報を前記データベースから特定する制御装置と、
前記制御手段によって特定された連動動作情報に基づいて動作を実行する連動動作実行装置とを有する。
【０００９】
また、前記制御装置は、
前記位置情報受信手段から送信された識別情報及び位置情報を受信する位置情報受信手段と、
前記位置情報受信手段にて受信された識別情報及び位置情報に基づいて、それらに応じた前記連動動作情報を前記データベースから特定する連動情報特定手段と、
前記ＩＣタグに前記識別情報を書き込む指示を行う識別情報登録手段とを有することを特徴とする。
【００１０】
また、ＩＣタグが検出された位置に応じた動作を実行するための位置情報連動システムであって、
前記ＩＣタグに、位置を示す位置情報と前記位置情報に応じた動作を示す連動動作情報とを対応付けた対応付け情報を書き込む連動情報送信装置と、
前記対応付け情報を前記ＩＣタグから読み取り、読み取られた対応付け情報と予め設定された設置された位置を示す位置情報とを送信する位置情報受信装置と、
前記位置情報受信装置から送信された対応付け情報と位置情報とに基づいて、それらに応じた前記連動動作情報を特定する制御装置と、
前記制御手段によって特定された連動動作情報に基づいて動作を実行する連動動作実行装置とを有する。
【００１１】
また、前記制御装置は、
前記位置情報受信手段から送信された対応付け情報及び位置情報を受信する位置情報受信手段と、
前記位置情報受信手段にて受信された対応付け情報及び位置情報に基づいて、それらに応じた前記連動動作情報を特定する連動情報特定手段と、
前記ＩＣタグに前記対応付け情報を書き込む指示を行う連動情報登録手段とを有することを特徴とする。
【００１２】
また、ＩＣタグが検出された位置に応じた動作を実行する位置情報連動方法であって、
前記ＩＣタグに固有の識別情報を書き込む処理と、
前記識別情報を前記ＩＣタグから読み取る処理と、
読み取られた識別情報と読み取られたＩＣタグが存在する位置を示す位置情報とに基づいて、それらに応じた動作を示す連動動作情報をデータベースから読み出して特定する処理と、
前記特定された連動動作情報に基づいて動作を実行する処理とを有する。
【００１３】
また、ＩＣタグが検出された位置に応じた動作を実行する位置情報連動方法であって、
前記ＩＣタグに、位置を示す位置情報と前記位置情報に応じた動作を示す連動動作情報とを対応付けた対応付け情報とを書き込む処理と、
前記対応付け情報を前記ＩＣタグから読み取る処理と、
読み取られた対応付け情報と読み取られたＩＣタグが存在する位置を示す位置情報とに基づいて、それらに応じた前記連動動作情報を特定する処理と、
前記特定された連動動作情報に基づいて動作を実行する処理とを有する。
【００１４】
上記のように構成された本発明においては、識別情報送信装置にて、ＩＣタグに固有の識別情報が書き込まれ、書き込まれた識別情報が、位置情報受信装置にてＩＣタグから読み取られ、読み取られた識別情報と位置情報受信装置が設置された位置を示す位置情報とが位置情報受信装置から送信され、位置情報受信装置から送信された識別情報及び位置情報と、それらに応じた動作を示す連動動作情報とが対応付けられて格納されているデータベースから、当該識別情報及び位置情報に基づいて、連動動作情報が制御装置にて特定され、連動動作実行装置にて、制御装置にて特定された連動動作情報に基づいて動作が実行される。
【００１５】
これにより、ＩＣタグが貼付された物体等と当該物体等が検出された位置とに応じた動作が自動的に実行されるため、所望の物体等が所望の位置に到着した際に、所望の動作が自動的に実行されることとなる。
【発明の効果】
【００１６】
以上説明したように本発明においては、識別情報送信装置が、ＩＣタグに固有の識別情報を書き込み、書き込まれた識別情報を、位置情報受信装置がＩＣタグから読み取り、読み取られた識別情報と位置情報受信装置が設置された位置を示す位置情報とを位置情報受信装置から送信し、位置情報受信装置から送信された識別情報及び位置情報と、それらに応じた動作を示す連動動作情報とが対応付けられて格納されているデータベースから、当該識別情報及び位置情報に基づいて、連動動作情報を制御装置が特定し、連動動作実行装置が、制御装置にて特定された連動動作情報に基づいて動作を実行する構成としたため、物体等が存在する位置に応じた動作を自動的に実行できる。
【発明を実施するための最良の形態】
【００１７】
以下に、本発明の実施の形態について図面を参照して説明する。
【００１８】
図１は、本発明の位置情報連動システムの実施の一形態を示す図である。
【００１９】
本形態は図１に示すように、制御装置１００と、連動情報データベース１０１と、位置情報受信装置１０２−１〜１０２−ｍと、識別情報送信装置１０３と、連動動作実行装置１０４−１〜１０４−ｎと、ＩＣタグ１０５とから構成されている。
【００２０】
ＩＣタグ１０５は、検出対象の物体等に貼付されるタグである。連動情報データベース１０１は、物体等が存在する位置に応じた連動動作情報を格納する。位置情報受信装置１０２−１〜１０２−ｍは、ＩＣタグ１０５を検出し、検出されたＩＣタグ１０５に書き込まれた情報を読み出す。識別情報送信装置１０３は、ＩＣタグ１０５にＩＣタグ１０５を識別するための識別情報を書き込む。連動動作実行装置１０４−１〜１０４−ｎは、制御装置１００の指示により、ＩＣタグ１０５が貼付された物体等が存在する位置に応じた連動動作を実行する。制御装置１００は、プログラム制御によりこれらを制御する。
【００２１】
図２は、図１に示した制御装置１００の一構成例を示す図である。
【００２２】
図１に示した制御装置１００は図２に示すように、位置情報受信部１１０と、連動情報特定部１１１と、識別情報登録部１１２とから構成されている。
【００２３】
位置情報受信部１１０は、位置情報受信装置１０２−１〜１０２−ｍにてＩＣタグ１０５から読み出された識別情報と位置情報受信装置１０２−１〜１０２−ｍが設置された位置に応じて予め設定された位置情報とを受信し、それらを連動情報特定部１１１へ出力する。連動情報特定部１１１は、位置情報受信部１１０から出力された識別情報と位置情報とが入力され、それらを連動情報データベース１０１に格納されている情報と比較して連動動作情報を特定し、特定された連動動作情報を連動動作実行装置１０４−１〜１０４−ｎへ送信する。識別情報登録部１１２は、ＩＣタグ１０５を識別するための予め設定された識別情報を識別情報送信装置１０３へ送信する。
【００２４】
以下に、図１及び図２に示した位置情報連動システムにおける位置情報連動方法について説明する。
【００２５】
図３は、図１及び図２に示した位置情報連動システムにおける位置情報連動方法を説明するためのシーケンス図である。
【００２６】
まず初期設定として、制御装置１００から識別情報送信装置１０３に対して識別情報をＩＣタグ１０５に書き込むように指示される（ステップＳ１）。この識別情報は、ＩＣタグ１０５を識別可能な情報であれば良く、ＩＣタグ１０５固有の情報としてシステムで設定されており、連動情報データベース１０１に予め格納されている情報である。具体的には、制御部１００の識別情報登録部１１２によって、対象となるＩＣタグ１０５に書き込むための識別情報が連動情報データベース１０１から読み出され、読み出された識別情報が識別情報登録部１１２から識別情報送信装置１０３へ送信されることとなる。例えば、ＩＣタグ１０５に書き込まれる識別情報が「Ｘ１」である場合を例に挙げる。
【００２７】
すると、識別情報登録部１１２から送信されて識別情報送信装置１０３にて受信された識別情報は、識別情報送信装置１０３からＩＣタグ１０５へ書き込まれる（ステップＳ２）。このとき、ＩＣタグ１０５が識別情報送信装置１０３から識別情報が書き込まれることができる位置、つまり識別情報送信装置１０３が発するＩＣタグ１０５への情報書き込みのための電波がＩＣタグ１０５にて受信される位置に存在することが条件となる。以上が、初期設定となる。
【００２８】
初期設定が完了し、識別情報が書き込まれたＩＣタグ１０５が位置情報受信装置１０２−１〜１０２−ｍにて検出される範囲に移動すると、ＩＣタグ１０５に書き込まれた識別情報が位置情報受信装置１０２−１〜１０２−ｍによって読み取られる（ステップＳ３）。例えば、位置情報受信装置１０２−１の近くにＩＣタグ１０５が移動した場合を例に挙げると、ＩＣタグ１０５に書き込まれた識別情報が位置情報受信装置１０２−１によって読み取られる。
【００２９】
すると、位置情報受信装置１０２−１にてＩＣタグ１０５から読み取られた識別情報と位置情報受信装置１０２−１に予め設定された位置情報とが位置情報受信装置１０２−１から制御装置１００へ送信される（ステップＳ４）。ここで、位置情報受信装置１０２−１に予め設定された位置情報とは、位置情報受信装置１０２−１が設置される位置に応じて予め設定された位置を識別する情報である。例えば、位置情報受信装置１０２−１に予め設定された位置情報は「Ａ１」であるとする。また、位置情報受信装置１０２−２〜１０２−ｍについても、同様に、それぞれが設置される位置を識別するための位置情報が予め設定されている。
【００３０】
ＩＣタグ１０５から読み取られた識別情報と位置情報受信装置１０２−１に予め設定された位置情報とが位置情報受信装置１０２−１から制御装置１００へ送信されると、当該識別情報「Ｘ１」及び位置情報「Ａ１」が制御装置１００の位置情報受信部１１０にて受信される。
【００３１】
位置情報受信部１１０にて受信された識別情報「Ｘ１」及び位置情報「Ａ１」は、位置情報受信部１１０から連動情報特定部１１１へ出力され、それらが連動情報特定部１１１に入力される。
【００３２】
その後、識別情報「Ｘ１」及び位置情報「Ａ１」が入力された連動情報特定部１１１にて、入力された識別情報「Ｘ１」及び位置情報「Ａ１」に基づいて、ＩＣタグ１０５に対する連動動作情報が特定される。
【００３３】
この特定動作は、具体的には以下に述べるように行われる。
【００３４】
連動情報特定部１１１にて、入力された識別情報「Ｘ１」及び位置情報「Ａ１」に応じた連動動作情報が、連動情報データベース１０１から検索される（ステップＳ５）。
【００３５】
図４は、図１に示した連動情報データベース１０１の一構成例を示す図である。
【００３６】
図１に示した連動情報データベース１０１は図４に示すように、ＩＣタグ１０５を識別するための識別情報と、位置情報受信装置１０２−１〜１０２−ｍが設置された位置を識別するために位置情報受信装置１０２−１〜１０２−ｍに予め設定された位置情報と、ＩＣタグ１０５に対する連動動作のコマンドである連動動作情報とが、それぞれ対応付けられて格納されている。図４に示した構成では、識別情報「Ｘ１」と、位置情報「Ａ１」と、連動動作情報「コマンドＩ」とが対応付けられており、また、識別情報「Ｘ１」と、位置情報「Ａ２」と、連動動作情報「コマンドＩＩ」とが対応付けられており、また、識別情報「Ｙ１」と、位置情報「Ａ３」と、連動動作情報「コマンドＩＶ」とが対応付けられており、また、識別情報「Ｙ１」と、位置情報「Ｂ１」と、連動動作情報「コマンドＶ」とが対応付けられている。
【００３７】
例えば、識別情報「Ｘ１」が書き込まれたＩＣタグ１０５が、位置情報「Ａ１」が設定された位置情報受信装置１０２−１によって検出された場合、識別情報「Ｘ１」及び位置情報「Ａ１」を検索キーとして、識別情報「Ｘ１」及び位置情報「Ａ１」に対応付けられた連動動作情報が検索される。図４に示した連動情報データベース１０１においては、識別情報「Ｘ１」及び位置情報「Ａ１」に対応付けられた連動動作情報は「コマンドＩ」であるため、連動動作情報「コマンドＩ」が検出され、検出された連動動作情報「コマンドＩ」が連動情報特定部１１１によって連動情報データベース１０１から読み取られる。
【００３８】
その後、連動情報特定部１１１によって読み取られた連動動作情報「コマンドＩ」は、連動情報特定部１１１から連動動作実行装置１０４−１〜１０４−ｎへ送信される（ステップＳ６）。
【００３９】
連動情報特定部１１１から送信された連動動作情報「コマンドＩ」が連動動作実行装置１０４−１〜１０４−ｎにて受信されると、受信された連動動作情報「コマンドＩ」が連動動作実行装置１０４−１〜１０４−ｎにて実行される（ステップＳ７）。
【００４０】
また、図１に示した連動情報データベース１０１を有しない位置情報連動システムも考えられる。
【００４１】
図５は、本発明の位置情報連動システムの実施の他の形態を示す図である。
【００４２】
本形態は図５に示すように、制御装置２００と、位置情報受信装置２０２−１〜２０２−ｍと、連動情報送信装置２０３と、連動動作実行装置２０４−１〜２０４−ｎと、ＩＣタグ２０５とから構成されている。
【００４３】
ＩＣタグ２０５は、検出対象の物体等に貼付されるタグである。位置情報受信装置２０２−１〜２０２−ｍは、ＩＣタグ２０５を検出し、検出されたＩＣタグ２０５に書き込まれた情報を読み出す。連動情報送信装置２０３は、ＩＣタグ２０５に、ＩＣタグ２０５が存在する位置を示す位置情報と当該位置情報に応じた連動動作情報とを対応付けて書き込む。連動動作実行装置２０４−１〜２０４−ｎは、制御装置２００の指示により、ＩＣタグ２０５が貼付された物体等が存在する位置に応じた連動動作を実行する。制御装置２００は、プログラム制御によりこれらを制御する。ここで、上述したＩＣタグ２０５が存在する位置を示す位置情報と当該位置情報に応じた連動動作情報との対応付けの情報を対応付け情報と称する。
【００４４】
図６は、図５に示した制御装置２００の一構成例を示す図である。
【００４５】
図５に示した制御装置２００は図６に示すように、位置情報受信部２１０と、連動情報特定部２１１と、連動情報登録部２１２とから構成されている。
【００４６】
位置情報受信部２１０は、位置情報受信装置２０２−１〜２０２−ｍにてＩＣタグ１０５から読み出された対応付け情報と、位置情報受信装置２０２−１〜２０２−ｍが設置された位置情報とを受信し、それらを連動情報特定部２１１へ出力する。連動情報特定部２１１は、位置情報受信部２１０から出力された位置情報と連動動作情報とが入力され、それらに基づいて連動情報を特定し、特定された連動情報を連動動作実行装置２０４−１〜２０４−ｎへ送信する。連動情報登録部２１２は、ＩＣタグ２０５が存在する位置を示す位置情報と当該位置情報に応じた連動動作情報とを対応付けた対応付け情報を連動情報送信装置２０３へ送信する。
【００４７】
以下に、図５及び図６に示した位置情報連動システムにおける位置情報連動方法について説明する。
【００４８】
図７は、図５及び図６に示した位置情報連動システムにおける位置情報連動方法を説明するためのシーケンス図である。
【００４９】
まず初期設定として、制御装置２００から連動情報送信装置２０３に対して位置情報と連動動作情報とを対応付けてＩＣタグ２０５に書き込むように指示される（ステップＳ１１）。
【００５０】
図８は、ＩＣタグ２０５に書き込まれる位置情報と連動動作情報との対応付けである対応付け情報の一例を示す図である。
【００５１】
ＩＣタグ２０５に書き込まれる位置情報と連動動作情報との対応付けである対応付け情報は図８に示すように、ＩＣタグ２０５が存在する位置情報、つまり、ＩＣタグ２０５を検出した位置情報受信装置２０２−１〜２０２−ｍが設置された位置を識別するために位置情報受信装置２０２−１〜２０２−ｍに予め設定された位置情報と、ＩＣタグ２０５に対する連動動作のコマンドである連動動作情報とが、それぞれ対応付けられたものである。
【００５２】
図８に示した例では、位置情報「Ａ１」と、連動動作情報「コマンドＩ」とが対応付けられており、また、位置情報「Ａ２」と、連動動作情報「コマンドＩＩ」とが対応付けられており、また、位置情報「Ａ３」と、連動動作情報「コマンドＩＶ」とが対応付けられており、また、位置情報「Ｂ１」と、連動動作情報「コマンドＶ」とが対応付けられている。
【００５３】
ステップＳ１における処理は、具体的には、制御部２００の連動情報登録部２１２によって、対象となるＩＣタグ２０５に書き込むための位置情報及び連動動作情報が連動情報登録部２１２から連動情報送信装置２０３へ送信されることとなる。
【００５４】
上述した対応付け情報が連動情報登録部２１２から連動情報送信装置２０３へ送信されると、連動情報送信装置２０３にて受信された対応付け情報が、連動情報送信装置２０３からＩＣタグ２０５へ書き込まれる（ステップＳ１２）。このとき、ＩＣタグ２０５が連動情報送信装置２０３から対応付け情報が書き込まれることができる位置、つまり連動情報送信装置２０３が発するＩＣタグ２０５への情報書き込みのための電波がＩＣタグ２０５にて受信される位置に存在することが条件となる。以上が、初期設定となる。
【００５５】
初期設定が完了し、対応付け情報が書き込まれたＩＣタグ２０５が位置情報受信装置２０２−１〜２０２−ｍにて検出される範囲に移動すると、ＩＣタグ２０５に書き込まれた対応付け情報が位置情報受信装置２０２−１〜２０２−ｍによって読み取られる（ステップＳ１３）。例えば、位置情報受信装置２０２−１の近くにＩＣタグ２０５が移動した場合を例に挙げると、ＩＣタグ２０５に書き込まれた対応付け情報が位置情報受信装置２０２−１によって読み取られる。
【００５６】
すると、位置情報受信装置２０２−１にてＩＣタグ２０５から読み取られた対応付け情報と位置情報受信装置２０２−１に予め設定された位置情報とが位置情報受信装置２０２−１から制御装置２００へ送信される（ステップＳ１４）。ここで、位置情報受信装置２０２−１に予め設定された位置情報とは、位置情報受信装置２０２−１が設置される位置に応じて予め設定された位置を識別する情報である。例えば、位置情報受信装置２０２−１に予め設定された位置情報は「Ａ１」であるとする。また、位置情報受信装置２０２−２〜２０２−ｍについても、同様に、それぞれが設置される位置を識別するための位置情報が予め設定されている。
【００５７】
ＩＣタグ２０５から読み取られた対応付け情報と位置情報受信装置２０２−１に予め設定された位置情報とが位置情報受信装置２０２−１から制御装置２００へ送信されると、当該対応付け情報及び位置情報「Ａ１」が制御装置２００の位置情報受信部２１０にて受信される。
【００５８】
位置情報受信部２１０にて受信された対応付け情報及び位置情報「Ａ１」は、位置情報受信部２１０から連動情報特定部２１１へ出力され、それらが連動情報特定部２１１に入力される。
【００５９】
その後、対応付け情報及び位置情報「Ａ１」が入力された連動情報特定部２１１にて、入力された対応付け情報及び位置情報「Ａ１」に基づいて、ＩＣタグ２０５に対する連動動作情報が特定される。
【００６０】
この特定動作は、具体的には以下に述べるように行われる。
【００６１】
連動情報特定部２１１にて、入力された対応付け情報の中から位置情報「Ａ１」に応じた連動動作情報が検索される（ステップＳ１５）。
【００６２】
例えば、図８に示した対応付け情報が書き込まれたＩＣタグ２０５が、位置情報「Ａ１」が設定された位置情報受信装置２０２−１によって検出された場合、位置情報「Ａ１」を検索キーとして、位置情報「Ａ１」に対応付けられた連動動作情報が対応付け情報から検索される。図８に示した例では、位置情報「Ａ１」に対応付けられた連動動作情報は「コマンドＩ」であるため、連動動作情報「コマンドＩ」が検出され、検出された連動動作情報「コマンドＩ」が連動情報特定部２１１にて特定される。
【００６３】
その後、連動情報特定部２１１にて特定された連動動作情報「コマンドＩ」は、連動情報特定部２１１から連動動作実行装置２０４−１〜２０４−ｎへ送信される（ステップＳ１６）。
【００６４】
連動情報特定部２１１から送信された連動動作情報「コマンドＩ」が連動動作実行装置２０４−１〜２０４−ｎにて受信されると、受信された連動動作情報「コマンドＩ」が連動動作実行装置２０４−１〜２０４−ｎにて実行される（ステップＳ１７）。
【００６５】
図５に示した形態は、図１に示した形態に比べて、データベースの検索を行う必要はなく、高速動作に有効なものとなる。
【図面の簡単な説明】
【００６６】
【図１】本発明の位置情報連動システムの実施の一形態を示す図である。
【図２】図１に示した制御装置の一構成例を示す図である。
【図３】図１及び図２に示した位置情報連動システムにおける位置情報連動方法を説明するためのシーケンス図である。
【図４】図１に示した連動情報データベースの一構成例を示す図である。
【図５】本発明の位置情報連動システムの実施の他の形態を示す図である。
【図６】図５に示した制御装置の一構成例を示す図である。
【図７】図５及び図６に示した位置情報連動システムにおける位置情報連動方法を説明するためのシーケンス図である。
【図８】ＩＣタグに書き込まれる位置情報と連動動作情報との対応付けである対応付け情報の一例を示す図である。
【符号の説明】
【００６７】
１００，２００    制御装置
１０１    連動情報データベース
１０２−１〜１０２−ｍ，２０２−１〜２０２−ｍ    位置情報受信装置
１０３    識別情報送信装置
１０４−１〜１０４−ｎ，２０４−１〜２０４−ｎ，    連動動作実行装置
１０５，２０５    ＩＣタグ
１１０，２１０    位置情報受信部
１１１，２１１    連動情報特定部
１１２    識別情報登録部
２０３    連動情報送信装置
２１２    連動情報登録部
【図１】
2007235812.tif 000003
【図２】
2007235812.tif 000004
【図３】
2007235812.tif 000005
【図４】
2007235812.tif 000006
【図５】
2007235812.tif 000007
【図６】
2007235812.tif 000008
【図７】
2007235812.tif 000009
【図８】
2007235812.tif 000010